(57)【特許請求の範囲】
【請求項１】
テレビジョン信号の垂直ブランキング期間（ＶＢ１  １，…，ＶＢＩ  ５）に伝送されているテレテキストデータを記憶する方法であって、受信されたテレテキストデータを連続的にメモリ（Ｓｐ）に書き込む形式の方法において、
垂直ブランキング期間（ＶＢ１  １）に伝送されたテレテキストデータを最初検査なしにメモリ（Ｓｐ）に格納しかつ
該垂直ブランキング期間（ＶＢ１  １）のテレテキストデータの受信後、前記記憶されたテレテキストデータが全部または部分的に要求されたかどうかを検査し、ここで要求されたデータをメモリ（Ｓｐ）に維持しかつ要求されないデータを、後続の垂直ブランキング期間（ＶＢ１  ２）に伝送されるテレテキストデータによってオーバライトする
ことを特徴とするテレテキストデータの記憶方法。
【請求項２】
垂直ブランキング期間に伝送されるテレテキストデータをメモリ（Ｓｐ）に読み込む前にスタート点（Ｓ）をセットし、ここで次の垂直ブランキング期間におけるテレテキストデータの記憶のためのメモリ（Ｓｐ）のスタート点（Ｓ）を、
一方において、先行する垂直ブランキング期間のテレテキストデータが必要とされないとき変えずに維持し、
その他の場合には、先行する垂直ブランキング期間の必要とされるデータが記憶された状態にとどまるところまでシフトする
請求項１記載のテレテキストデータの記憶方法。
【請求項３】
テレテキストデータを、複数のテキストラインを有しかつヘッダラインで始まる頁において伝送する
請求項１または２記載のテレテキストデータの記憶方法。
【請求項４】
テレテキストシステムの所定のマガジンのリードイン（ラインイン）を、ヘッダラインが識別された後、頁の持続時間の間ダイナミックに阻止することができる
請求項３記載のテレテキストデータの記憶方法。
【請求項５】
それぞれのマガジンに対する頁を別個に記憶する
請求項３または４記載のテレテキストデータの記憶方法。
【請求項６】
記憶されたヘッド行のアドレスを表に格納し、
該アドレスを記憶された頁の始めの発見のために利用する
請求項３から５までのいずれか１項記載のテレテキストデータの記憶方法。
【発明の詳細な説明】
【０００１】
【発明の属する技術分野】
本発明は、テレビジョン信号の垂直ブランキング期間に伝送されているテレテキストデータを記憶する方法であって、受信されたテレテキストデータを連続的にメモリに書き込む形式の方法に関する。
【０００２】
【従来の技術】
テレテキストデータを実時間ないし非実時間方式において読み込むことが公知である。データを実時間方式において読み込むために、大きなハードウェアコストをかけなければならない。非巡回形に構成されているメモリが使用されるとき、メモリマネージャーを使用しなければならない。これに対して巡回形が使用されるとき、メモリマネージャーは必要でない。この場合、メモリ管理およびハードウェアにおける大きなコストは不都合である。
【０００３】
非実時間作動において、データをメモリに読み込みかつメモリマネージャーによって別のメモリに格納することが公知である。この場合も不都合にも所要コストは大きい。
【０００４】
【発明が解決しようとする課題】
本発明の課題は、僅かなコストでテレテキストデータを記憶する方法を提供することである。
【０００５】
【課題を解決するための手段】
この課題は、本発明によれば、垂直ブランキング期間に伝送されたテレテキストデータを最初検査なしにメモリに格納しかつ該垂直ブランキング期間のテレテキストデータの受信後、前記記憶されたテレテキストデータが全部または部分的に要求されたかどうかを検査し、ここで要求されたデータをメモリに維持しかつ要求されないデータを、後続の垂直ブランキング期間に伝送されるテレテキストデータによってオーバライトすることによって解決される。
【０００６】
本発明の方法では、テレテキストデータは１つのメモリに読み込まれる。読み込まれたテレテキストデータが要求されたかどうかが検査される。テレテキストデータが要求された場合、データはメモリにそのまま維持される。データが要求されていない場合、このデータは新たに読み込まれるデータによってオーバライトされる。このシステムは、ハードウェアがデータを要求に無関係に、最初メモリに格納するという利点を有する。格納後初めて、データが必要とされるかどうかが決定される。まず格納しそれから場合に応じてオーバライトするというこのシステムは最初煩雑であるように思われるが、ハードウェアコストを低く抑えるためには、データの格納を評価なしに行わなければならないことを述べておく。しかし格納後、データの次の読み込みまでに、読み込まれたデータを評価するために時間がある。すなわちここでこの時間（２つのＶＢＩの間の約１８ms）が、効果的な評価を行うために有利に利用される。すなわちこの意味において次のように考えることができる：必要とされないデータはオーバライトされる、すなわちこれらデータはそう長い時間の間は記憶されない。
【０００７】
それぞれの記憶されたヘッダラインのアドレスがテーブルに格納されることが有利である。探索メカニズムによって、頁の始めが非常に迅速に検出される。そこからメモリから表示ユニットへのこの頁および所属のシリーズのコピーが行われる。
【０００８】
本発明における実施例によれば、テレテキストシステムの所定のマガジンのリードイン（ラインイン）を、ヘッダ行が識別され、すなわちここでは当該マガジンが不要と判定された後に、頁の持続時間の間ダイナミックに阻止することができる。これにより、必要とされない頁に対して、後続の読み込み過程後にソフトウェアが消費するはずの電力が低減される。既に拒絶された頁の後続データラインは、メモリには全く現れない。
【０００９】
本発明の別の有利な実施例は、８つの別個のマガジンを記憶することができるようにするために、シフトメモリを使用することによって、メモリ領域が８倍分存在することになる。このことは、頁の並列伝送の際にも、伝送された頁において既に関連のある頁を所属のメモリに格納することができかつ他のマガジンの頁のデータラインの分離が必要でないと云う利点を有する。これにより、引き続く、表示のためのコピーも簡単になる。というのは、データの帰属（配属）関係に対する頁のフィルタリングを行う必要がないからである。
【００１０】
【発明の実施の形態】
次に本発明を図示の実施例につき図面を用いて詳細に説明する。
【００１１】
図１のａ−ｅには、垂直ブランキング期間ＶＢＩ１−ＶＢＩ５が示されている。それぞれのブランキング期間内に、６つのテキストデータラインが伝送される。メモリＳｐは巡回形メモリであり、かつテキストデータを読み込む都度、スタート点Ｓがセットされかつ読み込みの終わりに終了点Ｅがセットされる。
【００１２】
図１のａにおいて、データが読み込まれる前では、スタート点Ｓは終了点Ｅに等しい。垂直ブランキング期間ＶＢＩ１の期間に、最初の６つのテキストラインがメモリＳＰに読み込まれる。第１のラインはスタート点Ｓによって特徴付けられかつ最後のラインは終了点Ｅによって特徴付けられる。
【００１３】
図１のｂには、第２の垂直ブランキング期間におけるデータの別の読み込みが示されている。データの読み込みの前に、ソフトウェアにより、メモリＳＰに既に格納されているデータが要求されたかどうかが検査される。データの要求は、当該テーブルに要求を求めていることを記憶することよって行われる。図１のｂには、データが実際に要求されかつスタート点Ｓが、その前に読み込まれたテキストデータラインの後の終了点Ｅを同時に形成することが示されている。それから垂直ブランキング期間に導入（リードイン）されるテキストデータラインは連続的に第１のテキストデータラインの後に格納される。
【００１４】
図１のｃには、必ずしもすべてのテキストデータが記憶状態を維持するのではなくて、スタート点Ｓは第４のラインの後の終了点後ただちにが始まることが示されている。すなわちテキストデータライン５および６は重要なデータを含んでいないかまたはそれらは要求されていなかった。引き続く垂直ブランキング期間において、到来するテキストデータは、この場合も最後のテキストラインの後ろに格納される。
【００１５】
図１のｄには、その前に到来したテキストデータが要求されなかったことを検査が明らかにしたことが示されている。それらはそっくり、垂直ブランキング期間に到来した新しいテキストデータラインによってオーバライトされる。
【００１６】
図１のｅには、１つのテキストラインのみが要求されたこと、およびこの要求されたテキストデータラインの後に、垂直ブランキング期間に導入されるテキストデータラインが記憶されることが示されている。この方法は続けられる。メモリの終わりに達すると、メモリの始めにおける更なる書き込みが、既存のテキストデータラインのオーバライトによって始まる。
【図面の簡単な説明】
【図１】  テレテキストデータの記録方法を示す略図である。
【符号の説明】
Ｓｐ  メモリ、  ＶＢＩ１−ＶＢＩ５  垂直ブランキング期間、  Ｓ  スタート点、  Ｅ  終了点
【図１】
0003868517.tif 000002